(57)【要約】【課題】熱や異物の付着等を防ぐ目的で測定装置に仕切板等の保護機構が設けられている場合において、障害波を抑制したマイクロ波式距離測定装置を提供する。【解決手段】  仕切板から直接反射する障害波を、仕切板を傾けることで受信用アンテナ内に極力入らないようにし、さらに複数回反射される多重反射波や乱反射波等の障害波を抑制するため、測定装置取付座の内側の壁面に電波吸収体を設けているマイクロ波式距離測定装置。好ましくは、前記筒状体内でマイクロ波送受信装置と仕切板との間に反射する反射波を吸収する電波吸収体を、前記筒状の内面に貼設する。【選択図】図２
2005321325.tif 000002
【特許請求の範囲】
【請求項１】
容器内に堆積する内容物にマイクロ波を照射して、その反射波により前記内容物の層高レベルを測定するマイクロ波式距離測定装置であって、
前記容器内の上部に筒状体を配設し、該筒状体の上部にマイクロ波送受信装置を配設し、前記筒状体内の下方に、仕切板を一方向に傾斜させて配設したことを特徴とするマイクロ波式距離測定装置。
【請求項２】
前記筒状体内でマイクロ波送受信装置と仕切板との間に反射する反射波を吸収する電波吸収体を、前記筒状の内面に貼設したことを特徴とする請求項１に記載のマイクロ波式距離測定装置。
【発明の詳細な説明】
【技術分野】
【０００１】
本発明は、容器内の内容物の層高レベルを非接触で測定するマイクロ波距離測定装置に関する。
【背景技術】
【０００２】
マイクロ波による距離測定装置は様々な分野で応用されているが、一つの応用分野として、廃棄物を溶融処理する廃棄物溶融炉内の炉内廃棄物の層高レベル測定装置がある。
【０００３】
この炉内廃棄物の層高レベル測定装置については、従来から種々の提案がなされており、例えば、特開2000‐304233号公報には、廃棄物溶融炉に固定される層高レベル測定装置にマイクロ波の反射波により廃棄物の層高レベルを測定するマイクロ波送受信装置が設けられ、炉内と仕切る仕切板（多孔質セラミック製）が設けられ、パージガスを測定装置取付座内へ吹き込むパージガス配管が設けられていることを特徴とする廃棄物溶融炉内の廃棄物層高レベル測定装置が提案されている。
【特許文献１】特開2000‐304233号公報
【発明の開示】
【発明が解決しようとする課題】
【０００４】
前述の廃棄物層高レベル測定装置においては、マイクロ波送受信装置から発信されたマイクロ波の一部は筒状体内に設置されている仕切板を通過して廃棄物の層に到達して反射し、仕切壁を介してマイクロ波送受信装置で受信し、反射時間によって位置関係演算し、層高レベルを測定している。
しかし、マイクロ波の一部はこの仕切板を通過せず仕切壁により反射し、マイクロ波送受信装置がこの反射波を受信してしまううえ、直接反射する波のほかに、筒状体に複数衝突を繰り返して反射した後の波（多重反射波）も受けやすいという問題点があった。
これらの障害波が、仕切板に微小のダストが付着することで大きくなったり、反対に、廃棄物の質や傾きなどにより廃棄物表面の反射波が小さくなったりすると、図３の右側に示すように、廃棄物表面の反射波波形１３よりも障害波波形１４の方が相対的に大きくなり、装置がそれを廃棄物表面の反射波として誤認検知するという問題が起きる。
そこで本発明は、前述のような仕切板による障害波を小さくすることができ、具体的には、装置を熱や異物の付着等から保護する機構を設けなければならない場合でも、障害波を受けることなく、対象物の距離を安定して連続的に正確に把握することができるマイクロ波式距離測定装置を提供することを課題とする。
【課題を解決するための手段】
【０００５】
本発明は、前述のような課題を解決するため、鋭意検討の結果なされたものであり、その要旨とするところは特許請求の範囲に記載した通りの下記内容である。
（１）容器内に堆積する内容物にマイクロ波を照射して、その反射波により前記内容物の層高レベルを測定するマイクロ波式距離測定装置であって、
前記容器内の上部に筒状体を配設し、該筒状体の上部にマイクロ波送受信装置を配設し、前記筒状体内の下方に、仕切板を一方向に傾斜させて配設したことを特徴とするマイクロ波式距離測定装置。
（２）前記筒状体内でマイクロ波送受信装置と仕切板との間に反射する反射波を吸収する電波吸収体を、前記筒状の内面に貼設したことを特徴とする（１）に記載のマイクロ波式距離測定装置。
【発明の効果】
【０００６】
本発明によれば、装置を熱や異物の付着等から保護する機構を設けなければならない場合でも、障害波を受けることなく、対象物の距離を安定して連続的に正確に把握することができるマイクロ波式距離測定装置を提供することができるなど産業上有用な著しい効果を奏する。
【発明を実施するための最良の形態】
【０００７】
本発明を実施するための最良の形態について図１および図２を用いて詳細に説明する。
図１は、本発明のマイクロ波式距離測定装置を廃棄物溶融炉に設置した状態を例示する図である。
図１において、１はシャフト炉式熱分解溶融炉、２はマイクロ波式距離測定装置、３は    マイクロ波送受信装置、４は仕切板、５はマイクロ波、６は反射波、７は受信波波形、１３は廃棄物面からの反射波波形を示す。
シャフト炉式熱分解溶融炉１の上部にマイクロ波送受信装置３を備えたマイクロ波式距離測定装置２が設置される。マイクロ波式距離測定装置２は、仕切板４（例えば、多孔質セラミック製）により溶融炉１と遮断されている。マイクロ波送受信装置３から送信されたマイクロ波５は、廃棄物の表面で反射し、反射波６はマイクロ波送受信装置３で受信し、演算処理装置で廃棄物の層高レベルを測定する。
図１の右側の受信波波形７および廃棄物面からの反射波波形１３に示すように、本発明のマイクロ波式距離測定装置は、層高レベルにおいて反射波が最も強く返ってくる地点を層高レベルとして認識することができる。
【０００８】
図２は本発明によるマイクロ波式距離測定装置の断面図および平面図を示す。
図２において、１はシャフト炉式熱分解溶融炉、２はマイクロ波式距離測定装置、３はマイクロ波送受信装置、４は仕切板、８は筒状体、９はパージガス管、１０は遮断弁、１１  は受信用アンテナ、１２は電波吸収体を示す。
シャフト炉式熱分解溶融炉１に固定されるマイクロ波式距離測定装置２には、マイクロ波送受信装置３が設けられ、マイクロ波が送受信される。測定装置取付座には、パージガスを取付座８内へ吹き込むパージガス配管９が設けられるとともに、取付座８内の圧力を表示する圧力計ＰＩが設けられている。マイクロ波式距離測定装置２と溶融炉１との間には、炉内と遮断するための遮断弁１０が設けられている。マイクロ波式距離測定装置２を保守等により取り外す場合、炉内の高温ガスが吹き出すのを防止するために、予め遮断弁１０を閉じる。
【０００９】
測定装置と炉内を仕切る仕切板４を設けることにより、炉内からの高温ガスの熱を遮断することができ、また、パージガス配管９から測定装置取付座に吹き込まれたパージガスは、仕切板４の多孔質部を通過して炉内側に流れるので、仕切板４の外表面の異物付着を防止することができる。 さらに、仕切板４を、障害波が受信用アンテナ１１内に極力入らない角度に傾けて設置する。
仕切板4は、筒状体８内の下方に一方向に傾斜して設置されており、この傾斜角度は、２０〜４０°が最もよく、仕切板によりマイクロ波が反射する反射波はこの角度により直接受信装置へ反射することはない。
【００１０】
また、筒状体８には電波吸収体１２を貼設している。
この電波吸収体１２は筒状体8内で、仕切板8と受信アンテナ11との間に張設している。電波吸収体１２は反射した電波を吸収するものであればよく、たとえば、一般に市販されているラバー材やフェライト材を採用することができる。
送受信装置3は筒状体8を介して溶解炉1の上部に設置している。筒状体8には受信用アンテナ１１を設置しており、送受信装置3により送信されたマイクロ波の反射波はこの受信アンテナ11によって受信する。そして、この筒状体8には受信用アンテナ11のほか、溶融炉1内の熱や粉塵の侵入防止する仕切板4が設置されている。この筒状体8に設置した仕切板4の傾斜角度が２０°以下では反射波が受信用アンテナ11に衝突して受信されてしまう。これを防止するため受信用アンテナ11と仕切板との間隔を大きくすればよいが、筒状体8が長くなり送受信装置と溶融炉内排気物の層高レベルまでの距離が長くなり、それだけ強いマイクロ波を発信しなればならなくなり、設備コストが大幅にアップする。仕切板4の傾斜角度が４０°以上では、筒状体８の長さが長くなり送受信装置と溶融炉内排気物の層高レベルまでの距離も長くなる。
【実施例】
【００１１】
図1は本発明のマイクロ波式距離測定装置をシャフト式熱分解溶融炉に設置した状態を例示する図である。
図2に本発明のマイクロ波式距離測定装置の詳細図である。
図2において、シャフト式熱分解溶融炉1の上部の開口部に固定されるマイクロ波式距離測定装置2は筒状体8とこの筒状体8の上部に設置したマイクロ波送受信装置3とマイクロ波式距離測定装置2から発信されマイクロ波の反射波6を受信する受信用アンテナ11とシャフト式熱分解溶融炉内の熱およびダストが筒状体8内に侵入を防止する仕切板4と仕切板4の下部にはシャフト炉式熱分解溶融炉1とマイクロ波式距離測定装置2とを社団する遮断弁が設置され、筒状体8内には筒状体8内の冷却およびダトスパージ用のパージガス管が連結されている。筒状体8内に設置した仕切板4は一定方向に傾斜して設置しおり、傾斜させることでマイクロ波式距離測定装置2から発信されたマイクロ波が新規板によって反射しても受信用アンテナ11で受信することはない。
【００１２】
図2では仕切板4の傾斜角度は２０°を採用したものである。筒状体8内で受信用アンテナ11と仕切板4の間には電波吸収体12を貼設している。この電波吸収体12を貼設することにより仕切板4で反射した反射波を吸収する。
マイクロ波送受信装置3により発信されたマイクロ波5は仕切板4を通過して溶融炉1内の廃棄物の層に衝突して反射波6となってマイクロ波式測定装置2の受信用アンテナ11により受信され、測定装置2により演算されて波形をモニタリングすることで波形の発生状況から廃棄物の層高レベルを測定する。大部分のマイクロ波は仕切板を通過して廃棄物の層高レベルに達して反射波6として反射するが、マイクロ波送受信装置2から発信されたマイクロ波のうちの一部が仕切板4に衝突した際、仕切板4により反射する。ここで反射した反射波は受信用アンテナ11で受信され、この部分の反射波の波形がモニタリングされて層高レベルの外乱となってしまう。
このため、筒状体8内に配置した仕切板4は傾斜させ、仕切板4で反射する反射波が直接受信アンテナで受信されないようにしている。また。反射波が筒状体8に衝突して再度反射しないように筒状体8の内面に電波吸収体12を貼設している。電波吸収体12は仕切板4の傾斜方向の半周部分に貼設してもよいが、全周に貼設することで一層電波吸収効果を高めることができる。
【図面の簡単な説明】
【００１３】
【図１】本発明のマイクロ波式距離測定装置を廃棄物溶融炉に設置した状態を例示する図である。
【図２】本発明によるマイクロ波式距離測定装置の断面図および平面図である。
【図３】従来のマイクロ波式距離測定装置を廃棄物溶融炉に設置した状態を示す図である。
【符号の説明】
【００１４】
１    シャフト炉式熱分解溶融炉
２    マイクロ波式距離測定装置
３    マイクロ波送受信装置
４    仕切板
５    マイクロ波
６    反射波
７    受信波波形
８    筒状体
９    パージガス管
１０  遮断弁
１１  受信用アンテナ
１２  電波吸収体
１３  廃棄物面からの反射波波形
１４  障害波波形
【図１】
2005321325.tif 000003
【図２】
2005321325.tif 000004
【図３】
2005321325.tif 000005